(57)【要約】【課題】周波数ホッピングを行うＯＦＤＭ無線信号の受信において、隣接チャネル信号からの干渉が低周波数側、高周波側のどちらの隣接チャネルからの干渉であるかを検出できる無線受信装置を提供する。【解決手段】受信信号品質算出手段６において、各バンドを使用する各ＯＦＤＭシンボルにおける周波数軸上での位置が一定となる複数のパイロット信号の受信信号品質をバンド毎に算出したうえで、隣接チャネル干渉検出部７によって、前記算出された受信信号品質が所定の閾値を下回るパイロット信号を含むバンドについて、受信信号品質が前記閾値を下回るパイロット信号が高周波側にある場合は、高周波側の隣接チャネルによる干渉として検出し、受信信号品質が前記閾値を下回るパイロット信号が低周波側にある場合は低周波側の隣接チャネルによる干渉として検出するようにした。【選択図】図１
2010109556.tif 000002
【特許請求の範囲】
【請求項１】
通信周波数帯を各バンドに分割して使用し、各バンドにＯＦＤＭシンボルを割り当てて周波数ホッピングを行うマルチバンドＯＦＤＭ無線通信を行う無線受信装置において、
各バンドを使用する各ＯＦＤＭシンボルにおける周波数軸上での位置が一定となる複数のパイロット信号の受信信号品質をバンド毎に算出する受信信号品質算出手段と、
前記算出された受信信号品質が所定の閾値を下回るパイロット信号を含むバンドについて、前記閾値を下回るパイロット信号が高周波側にある場合は、高周波側の隣接チャネルによる干渉として検出し、前記閾値を下回るパイロット信号が低周波側にある場合は低周波側の隣接チャネルによる干渉として検出する隣接チャネル干渉検出手段と、を備えたことを特徴とする無線受信装置。
【請求項２】
前記受信信号品質算出手段は、各シンボルにおける周波数軸上位置が同じパイロット信号の受信信号品質の平均を、各パイロット信号のバンド毎の受信信号品質として算出することを特徴とする請求項１に記載の無線受信装置。
【請求項３】
高周波側と低周波側のどちらの隣接チャネルによる干渉であるかを表示する表示部を備えたことを特徴とする請求項２に記載の無線受信装置。
【請求項４】
各バンドにおける各パイロット信号の受信信号品質に基づく重み付け処理を伴う復号処理を行う復号処理部を備えたことを特徴とする請求項１乃至３の何れか一項に記載の無線受信装置。
【請求項５】
通信周波数帯を各バンドに分割して使用し、各バンドにＯＦＤＭシンボルを割り当てて周波数ホッピングを行うマルチバンドＯＦＤＭ無線通信を行う無線受信装置における隣接チャネル干渉検出方法において、
各バンドを使用する各ＯＦＤＭシンボルにおける周波数軸上での位置が一定となる複数のパイロット信号の受信信号品質をバンド毎に算出するステップと、
前記算出された受信信号品質が所定の閾値を下回るパイロット信号を含むバンドについて、受信信号品質が前記閾値を下回るパイロット信号が高周波側にある場合は、高周波側の隣接チャネルによる干渉として検出し、受信信号品質が前記閾値を下回るパイロット信号が低周波側にある場合は低周波側の隣接チャネルによる干渉として検出するステップと、
を含むことを特徴とする隣接チャネル干渉検出方法。
【発明の詳細な説明】
【技術分野】
【０００１】
本発明は、マルチバンドＯＦＤＭ（直交波周波数分割多重：Orthogonal Frequency Division Multiplexing）シンボルを受信する無線受信装置に関し、特に隣接チャネル信号による干渉を検出し、検出結果に基づいて復号処理を行う無線受信装置に関する。
【背景技術】
【０００２】
無線通信では、電波が空間伝播中に受けるノイズに対して耐性を持たせるため誤り訂正を始めとする様々な技術が取り込まれている。
そのうちの１つである周波数ホッピング方式（Frequency Hopping Spread Spectrum:ＦＨ−ＳＳとも呼ばれる）は、キャリアの中心周波数を時間とともに高速に切り替えて送受信を行うスペクトラム拡散方式で、そのキャリアの中心周波数の切り替えは送受信機間でホッピングパターンまたはホッピングシーケンスと呼ばれる規則に従って行われる。使用するバンド帯域の一部にノイズが局在した場合でも高速に周波数を切り替えるため、バースト的なノイズや電波干渉への耐性を持たせるなどの効果がある。
そして近年注目を集めている近距離高速無線通信を実現するＵＷＢ（Ultra Wide Band）通信では周波数ホッピング方式を採用したマルチバンドＯＦＤＭ方式（以下、ＭＢ−ＯＦＤＭ方式とよぶ）と呼ばれる変調方式が検討されている。
【０００３】
図７は、ＭＢ−ＯＦＤＭ方式による変調方式を説明する図である。
図７に示すように、ＭＢ−ＯＦＤＭ方式では、ＵＷＢ通信の周波数帯である３．１ＧＨｚから１０．６ＧＨｚを５２８ＭＨｚ幅のサブバンドに分け、２次変調としてＯＦＤＭを採用し、１ＯＦＤＭシンボルの帯域幅は各サブバンド幅である５２８ＭＨｚとなるように規定されている。そして１ＯＦＤＭシンボル毎にホッピングパターンに従って周波数の切替を行っている。
図８は、ＭＢ−ＯＦＤＭ方式におけるＯＦＤＭシンボル内の各サブキャリアのマッピングの様子を示す図である。
１２８トーンのサブキャリアのうち、通信制御用のパイロット信号がＤＣ成分を中心として、左右対称に各々６トーンずつ等周波数間隔で１２本配置されている。
図９は、ＭＢ−ＯＦＤＭ方式でのパケットフォーマットを示す図である。
プリアンブルはパケットの前方部分に位置し、そこに含まれる各ＯＦＤＭシンボルはパケットの検出、タイミング同期、周波数オフセットリカバリ、チャネル推定などを行うために用意されたものである。ヘッダーは通信を行うために必要な情報が含まれ、ペイロード部に実際に通信を行いたいデータが含まれている。そしてヘッダーおよびペイロード部の各ＯＦＤＭシンボルはパイロット信号を含み、ＯＦＤＭシンボル内の各サブキャリアのマッピングは図８に示したとおりである。
【０００４】
また、図１０は、ＭＢ−ＯＦＤＭ方式でのバンド構成を示す図である。
各バンドは２つまたは３つのサブバンドからなるバンドグループを形成する。そしてバンドグループ内で周波数ホッピングが行われ、例えばバンドグループ＃１に対してあるホッピングパターンでは、図７に示すようにシンボル毎に使用するバンドをＢａｎｄ＃１、Ｂａｎｄ＃２、Ｂａｎｄ＃３と周期的に変化させながら通信を行う。
但しこれらのホッピングパターンはランダムに決められるため他の無線通信装置の出す電波が隣接していた場合、その干渉を受けることになり、受信性能に大きく影響を及ぼす。
図１１は、隣接チャネルが存在する場合の受信スペクトラムの様子を示す図である。
これはＢａｎｄ＃２で受信を行っている際に隣接するＢａｎｄ＃３で他の無線通信が行われ、Ｂａｎｄ＃２の周波数帯域にＢａｎｄ＃３を使用する無線通信信号の周波数成分が漏れてきている場合である。この場合、Ｂａｎｄ＃２の受信は干渉を受け、受信性能が劣化することが予測される。そのため隣接チャネルからの干渉を検出し、干渉状況を通知することは安定した通信を行うにあたって必要とされる機能である。
【０００５】
そしてこのような問題に対する従来技術として、例えば特許文献１ではパイロットシンボルの受信電力を測定し、パイロットシンボルの受信電力に基づいてデータシンボルの受信電力を予測し、この予測値と実際のデータシンボルの受信電力差が大きい場合にそのホッピング位置のデータシンボルがその他の無線通信装置の出すデータシンボルからの干渉を受けているとする方法が提案されている。
【特許文献１】特開２００４−２６６３３６公報
【発明の開示】
【発明が解決しようとする課題】
【０００６】
しかしながら特許文献１に記載されるような従来技術ではパイロットシンボルとデータシンボルの受信電力を比較することによってデータシンボルが干渉を受けているかどうか、つまりシンボルの衝突が起こっているかどうかを検出することは可能であるが、隣接チャネルによる影響を受けていた場合、高周波数側の隣接チャネルによる干渉であるか、または低周波数側の隣接チャネルによる干渉であるかについては検出することができないため、干渉の発生要因の解明に役立てたり、シンボルにおける干渉状況に基いた復号処理を適切に行うことが出来なかった。
本発明は、このような課題に鑑みてなされたものであり、周波数ホッピングを行うＯＦＤＭ無線信号の受信において、隣接チャネル信号からの干渉の検出、詳しくは隣接チャネル信号からの干渉が低周波数側の隣接チャネルからの干渉であるか、または高周波数側の隣接チャネルからの干渉であるかを検出することにより、干渉の発生要因を解明する助けとなるとともに、シンボルにおける干渉状況に基いた復号処理が可能な無線受信装置を提供することを目的とする。
【課題を解決するための手段】
【０００７】
かかる課題を解決するために、請求項１に記載の発明は、通信周波数帯を各バンドに分割して使用し、各バンドにＯＦＤＭシンボルを割り当てて周波数ホッピングを行うマルチバンドＯＦＤＭ無線通信を行う無線受信装置において、各バンドを使用する各ＯＦＤＭシンボルにおける周波数軸上での位置が一定となる複数のパイロット信号の受信信号品質をバンド毎に算出する受信信号品質算出手段と、前記算出された受信信号品質が所定の閾値を下回るパイロット信号を含むバンドについて、前記閾値を下回るパイロット信号が高周波側にある場合は、高周波側の隣接チャネルによる干渉として検出し、前記閾値を下回るパイロット信号が低周波側にある場合は低周波側の隣接チャネルによる干渉として検出する隣接チャネル干渉検出手段と、を備えた無線受信装置を特徴とする。
また、請求項２に記載の発明は、前記受信信号品質算出手段は、各シンボルにおける周波数軸上位置が同じパイロット信号の受信信号品質の平均を、各パイロット信号のバンド毎の受信信号品質として算出する請求項１に記載の無線受信装置を特徴とする。
また、請求項３に記載の発明は、高周波側と低周波側のどちらの隣接チャネルによる干渉であるかを表示する表示部を備えた請求項２に記載の無線受信装置を特徴とする。
【０００８】
また、請求項４に記載の発明は、各バンドにおける各パイロット信号の受信信号品質に基づく重み付け処理を伴う復号処理を行う復号処理部を備えた請求項１乃至３の何れか一項に記載の無線受信装置を特徴とする。
また、請求項５に記載の発明は、通信周波数帯を各バンドに分割して使用し、各バンドにＯＦＤＭシンボルを割り当てて周波数ホッピングを行うマルチバンドＯＦＤＭ無線通信を行う無線受信装置における隣接チャネル干渉検出方法において、各バンドを使用する各ＯＦＤＭシンボルにおける周波数軸上での位置が一定となる複数のパイロット信号の受信信号品質をバンド毎に算出するステップと、前記算出された受信信号品質が所定の閾値を下回るパイロット信号を含むバンドについて、受信信号品質が前記閾値を下回るパイロット信号が高周波側にある場合は、高周波側の隣接チャネルによる干渉として検出し、受信信号品質が前記閾値を下回るパイロット信号が低周波側にある場合は低周波側の隣接チャネルによる干渉として検出するステップと、を含む隣接チャネル干渉検出方法を特徴とする。
【発明の効果】
【０００９】
以上のように構成したので、本発明によれば、周波数ホッピングで使用するバンド毎にＯＦＤＭシンボルの各パイロット信号についての受信信号品質を算出し、算出したバンド毎のＯＦＤＭシンボルの各パイロット信号に対する受信信号品質情報をもとに隣接チャネルの干渉を検出し、さらに、それが高周波数側の隣接チャネルによる干渉であるか、または低周波数側の隣接チャネルによる干渉であるかを検出し、この検出結果に基づいた重み付け処理を行うことで受信性能を改善することが可能な無線受信装置が実現できる。
【発明を実施するための最良の形態】
【００１０】
以下、本発明の実施形態を、図面を参照しながら説明する。
なお、本発明は、ＭＢ−ＯＦＤＭ方式の無線装置に関するものであり、以下に述べる実施例において、シンボル内の各サブキャリアのマッピングや、パケットフォーマット、バンド構成は、図７〜９に示したものと同様であることはいうまでもない。
図１は、本発明による無線受信装置の一実施形態を示すブロック図である。
図１に示すように、本発明の無線通信装置は、アンテナ１、ＲＦ部（無線部）２、ＡＤＣ（ＡＤコンバータ）３、同期処理部４、ＦＦＴ（高速フーリエ変換）部５、バンド別受信信号品質算出部（受信信号品質算出手段）６、隣接チャネル干渉検出部（隣接チャネル干渉検出部）７と、表示部（表示手段）８、復号処理部９をその構成要素として含む。
より詳しくは、アンテナ１により受信した電波に対してＲＦ部２では周波数変換、余分な周波数成分の除去、信号レベルの調節を行った（アナログ）ベースバンド信号を出力する。
ＡＤコンバータ３は、ＲＦ部２からのアナログベースバンド信号に対して標本化および量子化を行い、デジタル信号に変換する。
同期処理部４は、ＡＤコンバータ３からの信号に対してパケット検出、ＡＧＣ（Auto Gain Control）、キャリア周波数オフセット補正、シンボルタイミング同期、フレームタイミング同期などを行う。
ＦＦＴ部５は、同期処理部４からの信号に対してＯＦＤＭシンボル毎に高速フーリエ変換を行い、サブキャリアに分波する。
【００１１】
バンド別受信信号品質算出部６は、後で詳述するように、ＦＦＴ部５により分波されたＯＦＤＭシンボル内の各パイロット信号に対する受信信号品質を算出する。そして使用するバンド毎にＯＦＤＭシンボルの各パイロット信号に対する受信信号品質の平均値を算出する。つまり同じバンドを使用するＯＦＤＭシンボルの各パイロット信号に対する受信信号品質を積算し、積算した回数（＝同じバンドを使用したＯＦＤＭシンボル数）で割ることによりバンド毎に平均化した各パイロット信号の受信信号品質を最終的に算出する。
さらに、隣接チャネル干渉検出部７は、バンド別受信信号品質算出部６により算出されたバンド毎のＯＦＤＭシンボルの各パイロット信号に対する受信信号品質情報をもとに隣接チャネルの干渉を検出する。ここで受信信号品質に対してある所定の閾値を設定し、各パイロット信号の受信信号品質の中に閾値を下回るものが存在する場合、そのバンドを使用するＯＦＤＭシンボルは隣接チャネルによる干渉を受けていると判断する。そして隣接チャネルによる干渉を受けていると判断すると、高周波数側にある隣接チャネルによる干渉か、あるいは低周波数側にある隣接チャネルによる干渉かを各パイロット信号の受信信号品質の分布をもとに検出する。
さらに、表示部８は、隣接チャネル干渉検出部７により検出した干渉を起こしている隣接チャネルが低周波数側に存在するか高周波数側に存在するかについて表示する。これにより干渉発生要因の解明に利用することができる。
【００１２】
次いで、復号処理部９は、ＦＦＴ部５から出力されたデータサブキャリアに対してイコライズ処理や誤り訂正処理を行いデータを復元する。この時、隣接チャネル干渉検出部７において隣接チャネルによる干渉を受けていると検出すると、バンド別受信信号品質算出部６から出力されるＯＦＤＭシンボルの各パイロット信号に対する受信信号品質情報をもとに重み付け処理を伴う復号処理を行う。これにより、受信性能の改善を図ることができる。
ここで、ＯＦＤＭの高周波側、低周波側のどちらで干渉が起きているのかが、隣接チャネル干渉検出部７によって検出されており、この情報を反映した重み付けが可能となるため、より受信性能の改善を図ることもできる。
【００１３】
図２は、バンド別受信信号品質算出部６における処理を詳しく説明する図である。
図２のような周波数ホッピングを行っている場合、ｋ番目のパイロット信号およびｍ番目のＯＦＤＭシンボルに対する受信信号品質をｌｑ（ｋ，ｍ）、最終的に求めるバンド毎の各パイロット信号に対する受信信号品質をＬＱ＿ｂａｎｄ１（ｋ）、ＬＱ＿ｂａｎｄ２（ｋ）、ＬＱ＿ｂａｎｄ３（ｋ）とすると、３番目のＯＦＤＭシンボルまでの受信を行った段階での受信信号品質は、
ＬＱ＿ｂａｎｄ１（ｋ）＝ｌｑ（ｋ，１）
ＬＱ＿ｂａｎｄ２（ｋ）＝ｌｑ（ｋ，２）
ＬＱ＿ｂａｎｄ３（ｋ）＝ｌｑ（ｋ，３）
となり、６番目のＯＦＤＭシンボルまでの受信を行った段階での受信信号品質は、
ＬＱ＿ｂａｎｄ１（ｋ）＝（ｌｑ（ｋ，１）＋ｌｑ（ｋ，４））／２
ＬＱ＿ｂａｎｄ２（ｋ）＝（ｌｑ（ｋ，２）＋ｌｑ（ｋ，５））／２
ＬＱ＿ｂａｎｄ３（ｋ）＝（ｌｑ（ｋ，３）＋ｌｑ（ｋ，６））／２
となり、９番目のＯＦＤＭシンボルまでの受信を行った段階での受信信号品質は、
ＬＱ＿ｂａｎｄ１（ｋ）＝（ｌｑ（ｋ，１）＋ｌｑ（ｋ，４）＋ｌｑ（ｋ，７））／３
ＬＱ＿ｂａｎｄ２（ｋ）＝（ｌｑ（ｋ，２）＋ｌｑ（ｋ，５）＋ｌｑ（ｋ，８））／３
ＬＱ＿ｂａｎｄ３（ｋ）＝（ｌｑ（ｋ，３）＋ｌｑ（ｋ，６）＋ｌｑ（ｋ，９））／３
となるように、積算回数が更新される度に受信信号品質も更新されるものとする。
ここで、ＯＦＤＭシンボル内の各パイロット信号に対する受信信号品質ｌｑ（ｋ，ｍ）としては、パイロット信号が既知の信号であることを利用してＳＮＲ（Signal to Noise Ratio）を推定する。
【００１４】
次に、隣接チャネル干渉検出部７における処理について、詳しく説明する。
図３〜５は、隣接チャネルによる干渉がある場合の、受信スペクトラムと受信信号品質の関係について説明する図である。
例えば図３（ａ）に示すようなホッピングパターンがＢａｎｄ１とＢａｎｄ２を使用し、Ｂａｎｄ３に隣接チャネルが存在する場合は、Ｂａｎｄ１に対するＯＦＤＭシンボルの各パイロット信号の受信信号品質ＬＱ＿ｂａｎｄ１（ｋ）は、Ｂａｎｄ３における隣接チャネルによる干渉を受けないため図３（ｂ）に示すように所定の閾値を上回ると考えられる。またＢａｎｄ２に対するＯＦＤＭシンボルの各パイロット信号の受信信号品質ＬＱ＿ｂａｎｄ２（ｋ）は図３（ｂ）に示すように高周波数側に位置するものにおいて所定の閾値を下回り、かつ高周波数側に位置するもの程受信信号品質が劣化すると考えられる。よって隣接チャネル干渉検出部７では、Ｂａｎｄ１に対するＯＦＤＭシンボルの各パイロット信号の受信信号品質の中に閾値を下回るものが存在しないことよりＢａｎｄ１を使用するＯＦＤＭシンボルは隣接チャネルによる干渉を受けていないと判断し、Ｂａｎｄ２に対するＯＦＤＭシンボルの各パイロット信号の受信信号品質の中に閾値を下回るものが存在することよりＢａｎｄ２を使用するＯＦＤＭシンボルは隣接チャネルによる干渉を受けていると判断する。そしてＢａｎｄ２に対するＯＦＤＭシンボルの各パイロット信号の受信信号品質が高周波数側において劣化していることより高周波数側にある隣接チャネルによる干渉を受けていることを検出する。また、Ｂａｎｄ１を使用するＯＦＤＭシンボルが隣接チャネルによる干渉を受けておらず、且つ、Ｂａｎｄ２を使用するＯＦＤＭシンボルが隣接チャネルによる干渉を受けていることからも高周波数側にある隣接チャネルによる干渉を受けていると検出することができる。
【００１５】
また図４（ａ）に示すようなホッピングパターンがＢａｎｄ２とＢａｎｄ３を使用し、Ｂａｎｄ１に隣接チャネルが存在する場合は、Ｂａｎｄ３に対するＯＦＤＭシンボルの各パイロット信号の受信信号品質は、Ｂａｎｄ１における隣接チャネルによる干渉を受けないため図４（ｂ）に示すように所定の閾値を上回ると考えられる。またＢａｎｄ２に対するＯＦＤＭシンボルの各パイロット信号の受信信号品質は図４（ｂ）に示すように低周波数側に位置するものにおいて所定の閾値を下回り、かつ低周波数側に位置するもの程受信信号品質が劣化すると考えられる。よって隣接チャネル干渉検出部では、Ｂａｎｄ３に対するＯＦＤＭシンボルの各パイロット信号の受信信号品質の中に閾値を下回るものが存在しないことよりＢａｎｄ３を使用するＯＦＤＭシンボルは隣接チャネルによる干渉を受けていないと判断し、Ｂａｎｄ２に対するＯＦＤＭシンボルの各パイロット信号の受信信号品質の中に閾値を下回るものが存在することよりＢａｎｄ２を使用するＯＦＤＭシンボルは隣接チャネルによる干渉を受けていると判断する。そしてＢａｎｄ２に対するＯＦＤＭシンボルの各パイロット信号の受信信号品質が低周波数側において劣化していることより低周波数側にある隣接チャネルによる干渉を受けていることを検出する。また、Ｂａｎｄ３を使用するＯＦＤＭシンボルが隣接チャネルによる干渉を受けておらず、且つ、Ｂａｎｄ２を使用するＯＦＤＭシンボルが隣接チャネルによる干渉を受けていることからも低周波数側にある隣接チャネルによる干渉を受けていると検出することができる。
【００１６】
また図５（ａ）に示すようなホッピングパターンがＢａｎｄ２のみを使用し、Ｂａｎｄ３に隣接チャネルが存在する場合は、Ｂａｎｄ２に対するＯＦＤＭシンボルの各パイロット信号の受信信号品質は図５（ｂ）に示すように高周波数側に位置するものにおいて所定の閾値を下回り、かつ高周波数側に位置するもの程受信信号品質が劣化すると考えられる。よって隣接チャネル干渉検出部では、Ｂａｎｄ２に対するＯＦＤＭシンボルの各パイロット信号の受信信号品質の中に閾値を下回るものが存在することよりＢａｎｄ２を使用するＯＦＤＭシンボルは隣接チャネルによる干渉を受けていると判断する。そしてＢａｎｄ２に対するＯＦＤＭシンボルの各パイロット信号の受信信号品質が高周波数側において劣化していることより高周波数側にある隣接チャネルによる干渉を受けていることを検出する。
【００１７】
図６は、本発明による隣接チャネル干渉検出の処理フローを示す図である。
まず、バンド別受信信号品質算出部６において、バンド毎にＯＦＤＭシンボルの各パイロット信号に対する受信信号品質を算出する（ステップＳ１）。
次に、隣接チャネル干渉検出部７において、算出部６で算出したバンド毎のＯＦＤＭシンボルの各パイロット信号に対する受信信号品質のうち、ある所定の閾値を下回るものが存在するかどうか判定する（ステップＳ２）。閾値を下回るものが存在する場合（Ｓ２でＹｅｓ）、高周波数側のパイロット信号であるほど受信信号品質が劣化しているかどうか判断する（ステップＳ３）。高周波数側のパイロット信号であるほど受信信号品質が劣化している場合（Ｓ３でＹｅｓ）、高周波数側の隣接チャネルによる干渉を検出する（ステップＳ４）。高周波数側のパイロット信号であるほど受信信号品質が劣化していない場合（Ｓ３でＮｏ）、低周波数側のパイロット信号であるほど受信信号品質が劣化しているかどうか判断する（ステップＳ５）。低周波数側のパイロット信号であるほど受信信号品質が劣化している場合（Ｓ５でＹｅｓ）、低周波数側の隣接チャネルによる干渉を検出する（ステップＳ６）。また、低周波数側のパイロット信号であるほど受信信号品質が劣化していない場合（Ｓ５でＮｏ）、あるいは閾値を下回るものが存在しない場合（Ｓ２でＮｏ）、隣接チャネルによる干渉が存在しないと判断する（ステップＳ７）。そして、隣接チャネルによる干渉状況を表示部８に通知して表示させる（ステップＳ８）。
そして、復号処理部９では、隣接チャネル干渉検出部７による検出結果に基づいて、劣化した側のシンボルに対する重み付け処理を伴った復号処理を行う（Ｓ９）。
【００１８】
以上、説明したように、本発明によれば、周波数ホッピングで使用するバンド毎にＯＦＤＭシンボルの各パイロット信号に対する受信信号品質を算出し、算出したバンド毎のＯＦＤＭシンボルの各パイロット信号に対する受信信号品質情報をもとに隣接チャネルの干渉を検出するするともに、算出した受信信号品質情報の分布をもとに隣接チャネルに干渉を受けているかどうかだけでなく高周波数側の隣接チャネルによる干渉であるか、または低周波数側の隣接チャネルによる干渉であるかを検出することや、検出した干渉状況を通知し干渉発生要因の解明に役立てることや、干渉を受けている場合に受信信号品質情報をもとに重み付け処理を伴う復号処理を行い受信性能の改善を図ることが可能な無線受信装置が実現できる。
【図面の簡単な説明】
【００１９】
【図１】本発明による無線受信装置の一実施形態を示すブロック図。
【図２】バンド別受信信号品質算出部６における処理を詳しく説明する図。
【図３】隣接チャネルによる干渉がある場合の、受信スペクトラムと受信信号品質の関係について説明する図（その１）。
【図４】隣接チャネルによる干渉がある場合の、受信スペクトラムと受信信号品質の関係について説明する図（その２）。
【図５】隣接チャネルによる干渉がある場合の、受信スペクトラムと受信信号品質の関係について説明する図（その３）。
【図６】本発明による隣接チャネル干渉検出の処理フローを示す図。
【図７】ＭＢ−ＯＦＤＭ方式による変調方式を説明する図。
【図８】ＭＢ−ＯＦＤＭ方式におけるＯＦＤＭシンボル内の各サブキャリアのマッピングの様子を示す図。
【図９】ＭＢ−ＯＦＤＭ方式でのパケットフォーマットを示す図。
【図１０】ＭＢ−ＯＦＤＭ方式でのバンド構成を示す図。
【図１１】隣接チャネルが存在する場合の受信スペクトラムの様子を示す図。
【符号の説明】
【００２０】
１…アンテナ、２…ＲＦ部、３…ＡＤコンバータ、４…同期処理部、５…ＦＦＴ部、６…バンド別受信信号品質算出部、７…隣接チャネル干渉検出部、８…表示部、９…復号処理部
【図１】
2010109556.tif 000003
【図２】
2010109556.tif 000004
【図３】
2010109556.tif 000005
【図４】
2010109556.tif 000006
【図５】
2010109556.tif 000007
【図６】
2010109556.tif 000008
【図７】
2010109556.tif 000009
【図８】
2010109556.tif 000010
【図９】
2010109556.tif 000011
【図１０】
2010109556.tif 000012
【図１１】
2010109556.tif 000013